(57)【要約】【課題】  画面の輝度の均一性を確保するための電界放出表示装置及び駆動方法を提供する。【解決手段】  電界放出表示装置は，基板上に配置されて２以上のグループに区分される複数のデータ電極Ｄと，データ電極と絶縁されて配置される複数のスキャン電極Ｓと，データ電極にデータ信号を出力する第１データ駆動部２１０及び第２データ駆動部２２０と，スキャン電極に選択信号を出力するスキャン駆動部１００とを備え，第１データ駆動部がデータ信号を出力するデータ電極と第２データ駆動部がデータ信号を出力するデータ電極とは異なるグループに属し，かつ，該グループは隣接している。【選択図】    図３
2005115334.tif 000002
【特許請求の範囲】
【請求項１】
少なくとも２つの電極間の電位差によって電子を放出させる電界放出表示装置において：
基板上に配置される複数の第１電極と，
前記第１電極と絶縁されて前記基板上に配置される複数の第２電極と，
前記第１電極にデータ信号を出力する第１データ駆動部及び第２データ駆動部と，
前記第２電極に選択信号を出力するスキャン駆動部と，を含み；
前記複数の第１電極は２以上のグループに区分され，
前記第１データ駆動部が前記データ信号を出力する前記第１電極と前記第２データ駆動部が前記データ信号を出力する前記第１電極とは異なる前記グループに属し，かつ，該異なる２つのグループは隣接していることを特徴とする，電界放出表示装置。
【請求項２】
前記複数の第１電極は，各々Ｒ，Ｇ，Ｂのうちのいずれか一つの蛍光体と対応し，
前記各グループは一つの第１電極を含むことを特徴とする，請求項１に記載の電界放出表示装置。
【請求項３】
前記複数の第１電極は，各々Ｒ，Ｇ，Ｂのうちのいずれか一つの蛍光体と対応し，
前記各グループはＲ，Ｇ，Ｂ蛍光体と各々対応する３つの第１電極を含むことを特徴とする，請求項１に記載の電界放出表示装置。
【請求項４】
前記第１電極はゲート電極であり，前記第２電極はカソード電極であることを特徴とする，請求項１から３のいずれかに記載の電界放出表示装置。
【請求項５】
前記第１データ駆動部及び前記第２データ駆動部は，画像が表示される画面の上方と下方に対応するよう離隔して配置されることを特徴とする，請求項１から４のいずれかに記載の電界放出表示装置。
【請求項６】
少なくとも２つの電極間の電位差によって電子を放出させる電界放出表示装置の駆動方法であって：
基板上に配置され，２以上のグループに区分された複数の第１電極と，
前記第１電極と絶縁されて前記基板上に配置される第２電極と，
前記第１電極にデータ信号を出力する第１データ駆動部及び第２データ駆動部と，
前記第２電極に選択信号を出力するスキャン駆動部と，を用いて実現され，
前記スキャン駆動部を通じて前記第２電極に選択信号を順次印加する段階と，
１つの前記第２電極に選択信号が印加される度に，前記第１データ駆動部を通じて前記第１電極の第１グループにデータ信号を印加し，かつ，前記第２データ駆動部を通じて前記第１電極の第２グループにデータ信号を印加する段階と，を含むことを特徴とする，電界放出表示装置の駆動方法。
【発明の詳細な説明】
【技術分野】
【０００１】
本発明は電界放出表示装置及びその駆動方法に関する。
【背景技術】
【０００２】
電界放出表示装置（ＦＥＤ，Ｆｉｅｌｄ  Ｅｍｉｓｓｉｏｎ  Ｄｉｓｐｌａｙ）は，冷陰極電子を電子放出源として使用してイメージ形成を行なう表示装置であって，電子放出層の材料，構造などの特性によって，装置全体の品質が大きく左右される。
【０００３】
図１及び図２は一般的な電界放出表示装置を示した図面で，図１は斜視図であり，図２は断面図である。
【０００４】
図１及び図２に示すように，一般的な電界放出表示装置（ＦＥＤ）は，背面基板１上に，電子６０放出源であるエミッタ３０と，エミッタ３０から電子を放出させるための電極，つまりカソード電極１０とゲート電極２０とが形成され，背面基板１に対向配置される前面基板２の背面基板１との対向面には，アノード電極４０上にＲ，Ｇ，Ｂ蛍光体からなる蛍光面５０が形成されて構成されている。したがって，電界放出表示装置は，カソード電極１０とゲート電極２０との電圧差を利用してエミッタ３０の周囲に電界を形成し，エミッタ３０から電子６０を放出させ，放出された電子６０を蛍光面５０に衝突させてこれを発光させることにより，所望の画像を表示する。
【０００５】
この時，カソード電極１０とゲート電極２０とが各々スキャン電極とデータ電極として利用される。また，これとは反対に，カソード電極１０がデータ電極として，ゲート電極２０がスキャン電極として利用されることもある。
【０００６】
電界放出表示装置は，横方向のスキャン電極を駆動するスキャン駆動部と縦方向のデータ電極を駆動するデータ駆動部とに印加された駆動パルスによるスキャン電極とデータ電極との間の電位差（ゲート電極とカソード電極との間の電位差）によって画素セルが発光するパッシブ・マトリックス（Passive Matrix）方式で駆動される。また，二つの駆動パルスが重なる幅によって階調が表現される。
【０００７】
このような電界放出表示装置は，データ電極にデータパルスを印加する時に，画面の一方向にだけデータ信号を印加するが，データ電極には抵抗成分が存在するため，例えば画面の上方から下方向に向かって電圧を印可した場合，画面下端に向かうほど上記抵抗成分によって電圧降下が増加する。
【発明の開示】
【発明が解決しようとする課題】
【０００８】
しかし，電界放出表示装置は，ゲート電極とカソード電極との間の電位差を利用して発光させるため，このような電圧降下は輝度に影響を与える。したがって，相対的に電圧降下の小さい画面の右上端に比べて電圧降下の大きい画面の左下端が暗く見え，結果的に，画面全体の輝度の均一性が確保できず，画面が全体的に荒くてまだらに見えるという問題点があった。
【０００９】
そこで，本発明は，このような問題に鑑みてなされたもので，その目的とするところは，画面の輝度の均一性を確保するための電界放出表示装置及び駆動方法を提供することにある。
【課題を解決するための手段】
【００１０】
上記課題を解決するために，本発明のある観点によれば，少なくとも２つの電極間の電位差によって電子を放出させる電界放出表示装置において，基板上に配置される複数の第１電極と，第１電極と絶縁されて前記基板上に配置される複数の第２電極と，第１電極にデータ信号を出力する第１データ駆動部及び第２データ駆動部と，第２電極に選択信号を出力するスキャン駆動部とを含む電界放出表示装置が提供される。上記複数の第１電極は２以上のグループに区分され，第１データ駆動部が前記データ信号を出力する前記第１電極と前記第２データ駆動部が前記データ信号を出力する前記第１電極とは異なる前記グループに属し，かつ，該異なる２つのグループは隣接していることを特徴とする。
【００１１】
上記複数の第１電極は，上記基板上に一方向に向かって形成されている。すなわち，各第１電極は，互いに平行な状態で基板上に整列している。第２電極は，第１電極と交差するように第１電極とは異なる一方向に向かって形成されている。上記第１電極と第２電極との間の電位差によって電子が放出される。また，上記グループは，少なくとも１つの第１電極を含むように区分される。なお，上記電界放出表示装置には，上記第１電極と第２電極との間の電位差によって電子を放出する電子放出層が含まれる。
【００１２】
上記発明によれば，一のグループ内の第１電極は，一のグループに隣接する他のグループとは異なるデータ駆動部からデータ信号を出力されることができる。
【００１３】
上記複数の第１電極は，各々Ｒ，Ｇ，Ｂのうちのいずれか一つの蛍光体と対応し，各グループが１つの第１電極を含むように構成されてもよい。かかる構成によれば，１つの第１電極によって１つのグループが構成できる。上述の通り一のグループ内の第１電極は，一のグループに隣接する他のグループとは異なるデータ駆動部からデータ信号を出力されるため，１つの第１電極によってグループを構成すれば隣り合う第１電極ごとに異なるデータ駆動部からデータ信号を出力されることができる。なお，第１電極は，Ｒ，Ｇ，Ｂのいずれか１つの蛍光体と順に対応している。
【００１４】
上記複数の第１電極は，各々Ｒ，Ｇ，Ｂのうちのいずれか一つの蛍光体と対応し，各グループがＲ，Ｇ，Ｂ蛍光体と各々対応する３つの第１電極を含むように構成されてもよい。かかる構成によれば，Ｒ，Ｇ，Ｂ（Ｒｅｄ，Ｇｒｅｅｎ，Ｂｌｕｅ）の蛍光体と各々対応する３つの第１電極によって１つのグループを構成できる。そのため，Ｒ，Ｇ，Ｂから成るピクセル毎に異なるデータ駆動部からデータ信号を出力されることができる。
【００１５】
また，第１電極はゲート電極であり，第２電極はカソード電極であるのが好ましい。
【００１６】
第１データ駆動部及び第２データ駆動部は，画像が表示される画面の上方と下方に対応するよう離隔して配置されることが望ましい。かかる構成によれば，一のグループに属する第１電極にデータ信号を出力する第１データ駆動部と，一のグループと隣接する他のグループに属する第１電極にデータ信号を出力する第２データ駆動部とが，各々画面の上方または下方に対応する位置に離隔して配置される。そのため，第１電極に存在する抵抗によって，第１電極のうちデータ信号を出力されるデータ駆動部から離れた部分の電圧が降下した場合であっても，画面の上方または下方からグループ毎に交互にデータ信号が出力されるため，電圧が降下する部分が画面の上方または下方の一方に偏ることを防止できる。その結果，画面の上方と下方で輝度が不均一になる現象を防止できる。
【００１７】
上記課題を解決するために，本発明の別の観点によれば，少なくとも２つの電極間の電位差によって電子を放出させる電界放出表示装置の駆動方法であって，基板上に配置され，２以上のグループに区分された複数の第１電極と，第１電極と絶縁されて前記基板上に配置される第２電極と，第１電極にデータ信号を出力する第１データ駆動部及び第２データ駆動部と，第２電極に選択信号を出力するスキャン駆動部と，を用いて実現され，スキャン駆動部を通じて前記第２電極に選択信号を順次印加する段階と，１つの前記第２電極に選択信号が印加される度に，前記第１データ駆動部を通じて前記第１電極の第１グループにデータ信号を印加し，かつ，前記第２データ駆動部を通じて前記第１電極の第２グループにデータ信号を印加する段階と，を含むことを特徴とする，電界放出表示装置の駆動方法が提供される。
【００１８】
また，データ駆動部を画面の上下側に分けて配置するため，駆動ボードのサイズを小さくすることができ，各駆動ラインの経路を均一化することができる。また，工程においてデータ駆動ラインのパッドピッチの確保にも役に立つ。
【発明の効果】
【００１９】
以上説明したように本発明によれば，グループ化されたデータ電極を，グループ毎に画面の上方または下方から駆動するため，データ電極に存在する抵抗性分の影響により発生する画面上下の輝度不均一現象を除去することができ，画面の輝度の均一性を確保することが可能な電界放出表示装置及び駆動方法を提供することができる。
【発明を実施するための最良の形態】
【００２０】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２１】
本発明の実施形態にかかる電界放出表示装置及びその駆動方法について，図面を参照して詳細に説明する。
【００２２】
（第１実施形態）
図３は本発明の第１実施形態にかかる電界放出表示装置を示したものである。
【００２３】
図３に示したように，本発明の第１実施形態にかかる電界放出表示装置の基板に備えられる電極は，ｎ×ｍのマトリックス構成であり，具体的には，列方向には第１電極の一例としてデータ電極（Ｄ１〜Ｄｎ）が配列されており，行方向には第２電極の一例としてｍ行のスキャン電極（Ｓ１〜Ｓｍ）が配列されている。この時，データ電極の各ラインには赤（Ｒ），緑（Ｇ），青（Ｂ）の蛍光体が各々交代に一つずつ連結される。以後，データ電極をデータラインとも称し，スキャン電極をスキャンラインとも称する。
【００２４】
また，第１実施形態にかかる電界放出表示装置は，スキャン駆動部１００，第１データ駆動部２１０，第２データ駆動部２２０，及び制御部３００を含む。
【００２５】
制御部３００は，スキャン駆動部１００，第１データ駆動部２１０及び第２データ駆動部２２０に各々駆動信号を印加する。
【００２６】
スキャン駆動部１００は，制御部３００から印加される選択信号の一例であるスキャンパルスをスキャンライン（Ｓ１-Ｓｍ）に順次供給する。
【００２７】
第１データ駆動部２１０及び第２データ駆動部２２０は，データの供給の有無によってデータライン（Ｄ１-Ｄｎ）にデータ信号の一例であるデータパルスを供給する。本実施形態では，１つのデータ電極によって１つのグループが構成され，隣り合うデータ電極毎に異なるデータ駆動部からデータ信号を供給される。具体的には，例えば，奇数データライン（Ｄ２ｉ-１;ｉは０以上，ｎ/２以下の自然数）は第１データ駆動部２１０からデータパルスの供給を受け，偶数データライン（Ｄ２ｉ）は第２データ駆動部２２０からデータパルスの供給を受ける。
【００２８】
つまり，赤色（Ｒ）蛍光体に対応するデータライン（Ｄ１）は第１データ駆動部２１０からデータパルスの供給を受け，緑色（Ｇ）蛍光体に対応するデータライン（Ｄ２）は第２データ駆動部２２０からデータパルスの供給を受け，青色（Ｂ）蛍光体に対応するデータライン（Ｄ３）は第１データ駆動部２１０からデータパルスの供給を受ける。また，第２赤色（Ｒ）蛍光体に対応するデータライン（Ｄ４）は第２データ駆動部２１０からデータパルスの供給を受ける。
【００２９】
このように，本発明の第１実施形態では，データラインを奇数ラインと偶数ラインとに区分して，奇数データラインには第１データ駆動部２１０を通じて画面上方からデータパルスを印加し，偶数データラインには第２データ駆動部２２０を通じて画面下方からデータパルスを印加する。
【００３０】
したがって，隣接したデータラインのうち，奇数データラインは画面上方からデータパルスが印加され，偶数データラインは画面下方からデータパルスが印加されるので，電圧降下の程度が互いに補償されて画面全体の輝度が均一になる。
【００３１】
本発明の第１実施形態では，データラインを奇数ラインと偶数ラインとに区分して駆動したが，データラインをピクセル単位で区分して駆動することができる。以下，このような実施形態について，図４を参照して詳細に説明する。
【００３２】
（第２実施形態）
図４は本発明の第２実施形態にかかる電界放出表示装置を示したものである。本実施形態では，Ｒ，Ｇ，Ｂに各々対応する３つのデータ電極によって１つのグループが構成される。つまり，Ｒ，Ｇ，Ｂから成るピクセル毎にグループ化されるため，隣り合うピクセル毎に異なるデータ駆動部からデータ信号を供給される。
【００３３】
図４に示したように，本発明の第２実施形態にかかる電界放出表示装置は，奇数番目のピクセルを構成するデータラインは第１データ駆動部２１０からデータパルスの供給を受け，偶数番目のピクセルを構成するデータラインは第２データ駆動部２２０からデータパルスの供給を受ける。
【００３４】
つまり，第１ピクセルを構成するデータライン（Ｄ１;Ｒ，Ｄ２;Ｇ，Ｄ３;Ｂ）は第１データ駆動部２１０からデータパルスの供給を受け，第２ピクセルを構成するデータライン（Ｄ４;Ｒ，Ｄ５;Ｇ，Ｄ６;Ｂ）は第２データ駆動部２２０からデータパルスの供給を受ける。同様に，第３ピクセルを構成するデータライン（Ｄ７;Ｒ，Ｄ８;Ｇ，Ｄ９;Ｂ，なお，Ｄ８，Ｄ９は図示せず）は第１データ駆動部２１０からデータパルスの供給を受ける。
【００３５】
このように，本発明の第２実施形態では，データラインを奇数ピクセルと偶数ピクセルとに区分して，奇数番目のピクセルに対応するデータラインには第１データ駆動部２１０を通じて画面上方からデータパルスを印加し，偶数番目のピクセルに対応するデータラインには第２データ駆動部２２０を通じて画面下方からデータパルスを印加する。
【００３６】
したがって，隣接したピクセルのうち，奇数ピクセルは画面上方からデータパルスが印加され，偶数ピクセルは画面下方からデータパルスが印加されるので，電圧降下の程度が互いに補償されて画面全体の輝度が均一になる。
【００３７】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００３８】
本発明は，電界放出表示装置及びその駆動方法に適用可能である。
【図面の簡単な説明】
【００３９】
【図１】一般的な電界放出表示装置の斜視図である。
【図２】一般的な電界放出表示装置の断面を示す説明図である。
【図３】本発明の第１実施形態にかかる電界放出表示装置の駆動装置を示す説明図である。
【図４】本発明の第２実施形態にかかる電界放出表示装置の駆動装置を示す説明図である。
【符号の説明】
【００４０】
１００      スキャン駆動部
２１０      第１データ駆動部
２２０      第２データ駆動部
３００      制御部
Ｄ１〜Ｄｎ      データ電極
Ｓ１〜Ｓｍ      スキャン電極
【図１】
2005115334.tif 000003
【図２】
2005115334.tif 000004
【図３】
2005115334.tif 000005
【図４】
2005115334.tif 000006